(57)【要約】【課題】  従来の撮影装置では、防塵や防水等を目的として使用されているシール部材の断面形状が共に円形になっていたため、シール部材を押圧する部材の寸法精度によって接触面積が大きく変化し、シール部材を大きな押圧力で十分に締め付けないと密着性が不十分になることがあり、必要な防塵性能や防水性能が安定して得られなかった。【解決手段】  レンズ鏡筒３０に取り付けられる撮影レンズ５と、その撮影レンズ５の外周縁を覆うと共にレンズ鏡筒３０に固定される外装カバー５２と、撮影レンズ５と外装カバー５２との間に介在される環状の防塵リング６０と、を備えて構成されている。防塵リング６０の断面形状を矩形とし、その防塵リング６０の平面部を撮影レンズ５及び外装カバー５２にそれぞれ面接触させる。【選択図】      図１１  
2006030665.tif 000002
【特許請求の範囲】
【請求項１】
レンズ鏡筒に取り付けられるレンズと、
前記レンズの外周縁を覆うと共に前記レンズ鏡筒に固定される外装カバーと、
前記レンズと前記外装カバーとの間に介在される環状のシール部材と、を備え、
前記シール部材の断面形状を矩形とし、当該シール部材の平面部を前記レンズ及び前記外装カバーにそれぞれ面接触させるようにしたことを特徴とする撮影装置。
【請求項２】
前記シール部材には、内周縁の少なくとも一方に、面と面とが交わる角部を設けたことを特徴とする請求項１記載の撮影装置。
【請求項３】
前記シール部材は、略楕円形に形成したことを特徴とする請求項１記載の撮影装置。
【請求項４】
前記シール部材の少なくとも一面には、前記レンズ鏡筒又は前記外装カバーに貼着するための接着剤層を設けたことを特徴とする請求項１記載の撮影装置。
【発明の詳細な説明】
【技術分野】
【０００１】
本発明は、デジタルスチルカメラやデジタルビデオカメラ等の撮影装置に関し、特に、レンズ鏡筒に取り付けられるレンズの防塵構造に関するものである。
【背景技術】
【０００２】
従来の、この種の撮影装置としては、例えば、特許文献１に記載されているようなものがある。特許文献１には、防水カメラに交換可能に取り付けられる交換レンズに関するものが記載されている。この特許文献１に記載された防水カメラ用交換レンズは、「光学系を含む内筒部と、該内筒部を内部で保持する防水構造の外筒部とを有する防水カメラ用交換レンズにおいて、前記外筒部の端部に設けられた外筒マウント部と、前記内筒部の端部に設けられた内筒マウント部と、前記外筒マウント部の近傍且つ外側に前記外筒に沿って一周配置されたＯリングとを有する」ことを特徴としている。
【０００３】
このような構成を有する防水カメラ用交換レンズによれば、「外筒部がずれることなく確実に浸水等を防ぐことができるとともに、外筒を外すときＯリングの外側に溜まった水等をかきだすことができる」という効果が期待される。
【０００４】
また、この種の撮影装置の他の例としては、例えば、特許文献２に記載されているようなものもある。特許文献２には、生活防水用のカメラに係るもので、特に、カメラの光軸方向に移動するレンズ鏡筒の防水に関するものが記載されている。この特許文献２に記載されたレンズ鏡筒の取付構造は、「カメラ本体に固定される固定筒に対して、光軸方向に進退レンズ保持枠を有するレンズ鏡筒の取付構造において、前記固定筒とレンズ保持枠は、水密性を有し、かつ通気性を有する可撓性の円筒状の防水シートを介して連結され、前記防水シートは、前記レンズ保持枠の光軸方向の進退に対して折り返し部が進退するようレンズ鏡筒に配置されている」ことを特徴としている。
【０００５】
このような構成を有するレンズ鏡筒の取付構造によれば、「レンズ保持枠の移動時には、防水シートの折り曲げ部の移動だけなので、気密性を保つための摺動抵抗がまったく無く、レンズ駆動負荷が軽い。また、摺動しないので防水性が高い。そして、防水シートの鏡筒への取り付けは、防水シートの両端にフレーム部があるので、着脱自在であり、組立性及びメンテナンスが容易で防水性の信頼性も高い。」等の効果が期待される。
【０００６】
しかしながら、上述したような特許文献１に記載された防水カメラ用交換レンズ及び特許文献２に記載されたレンズ鏡筒の取付構造のいずれの場合においても、レンズ装置の防塵等を目的としてシール部材が用いられているが、そのシール部材の断面形状が共に円形となっていた。そのため、シール部材を押圧する部材の寸法精度によって接触面積が大きく変化し、シール部材を大きな押圧力で十分に締め付けないと密着性が不十分になることがあり、必要とされる防塵性能や防水性能が安定して得られないという問題点があった。
【特許文献１】特開平６−２９４９９４号公報（第２頁、図１）
【特許文献２】特開平６−１８６６２４号公報（第２頁、図１）
【発明の開示】
【発明が解決しようとする課題】
【０００７】
解決しようとする問題点は、従来の撮影装置では、防塵や防水等を目的として使用されているシール部材の断面形状が共に円形になっていたため、シール部材を押圧する部材の寸法精度によって接触面積が大きく変化し、シール部材を大きな押圧力で十分に締め付けないと密着性が不十分になることがあり、必要な防塵性能や防水性能が安定して得られない、等の課題を有することにある。
【課題を解決するための手段】
【０００８】
本出願の請求項１記載の撮影装置は、レンズ鏡筒に取り付けられるレンズと、そのレンズの外周縁を覆うと共にレンズ鏡筒に固定される外装カバーと、レンズと外装カバーとの間に介在される環状のシール部材と、を備え、シール部材の断面形状を矩形とし、そのシール部材の平面部をレンズ及び外装カバーにそれぞれ面接触させるようにしたことを最も主要な特徴とする。
【０００９】
本出願の請求項２記載の撮影装置は、シール部材には、内周縁の少なくとも一方に、面と面とが交わる角部を設けたことを特徴とする。
【００１０】
本出願の請求項３記載の撮影装置は、シール部材は、略楕円形に形成したことを特徴とする。
【００１１】
また、本出願の請求項４記載の撮影装置は、シール部材の少なくとも一面には、レンズ鏡筒又は外装カバーに貼着するための接着剤層を設けたことを特徴とする。
【００１２】
本出願の請求項１記載の撮影装置によれば、シール部材の断面形状を矩形として、その平面部をレンズ及び外装カバーの両面にそれぞれ面接触させる構成とすることにより、シール部材を所定位置に安定させて配置できると共に、軽い押圧力によってもしっかりと締付固定することができ、密着性の向上を図り、防塵性の高い撮像装置を提供することができる。
【００１３】
本出願の請求項２記載の撮影装置によれば、シール部材の内周縁の少なくとも一方に面と面とが交わる角部を設ける構成とすることにより、シール部材とこれを挟持する部材との接触面積を大きくすることができ、軽い押圧力でしっかりと密着させて、防塵性能を高めることができる。
【００１４】
本出願の請求項３記載の撮影装置によれば、シール部材の形状を略楕円形とすることにより、密封する開口部の形状に見合う形状にシール部材を形成し、その開口部の隙間内に塵埃や水等が入り込むのを防止し、防塵性能の向上を図ることができる。
【００１５】
また、本出願の請求項４記載の撮影装置によれば、シール部材の少なくとも一面に接着剤層を設ける構成とすることにより、シール部材を所定位置に簡単に接着して取り付けることができると共に、その取付位置が接着剤によって保持されるため、組立時や分解時におけるシール部材の剥離や紛失を防止し、組立作業や分解作業における作業性の向上を図ることができる。
【発明を実施するための最良の形態】
【００１６】
シール部材を軽い押圧力でしっかりと締め付けることができ、取付位置を安定させ、十分な密着性が得られる撮影装置のレンズの防塵、防水構造を簡単な構成によって実現した。
【実施例１】
【００１７】
図１〜図１２は、本発明の実施の形態を示すものである。即ち、図１は本発明の撮影装置の一実施例を示す正面側の外観斜視図、図２は同じく背面側の外観斜視図、図３はレンズ鏡筒とシール部材と外装カバーを示す分解斜視図、図４は同じく組立斜視図、図５〜図７は本発明に係るシール部材を示す図、図８及び図９は本発明に係る外装カバーを示す図、図１０は図１に示す撮影装置のレンズ部分を断面した説明図、図１１は図１０の要部を拡大して示す説明図、図１２は他の部分を断面して示す説明図である。
【００１８】
図１及び図２は、本発明の撮影装置の一具体例を示すデジタルスチルカメラである。このデジタルスチルカメラ１は、情報記録媒体として半導体記録メディアを使用し、光学的な画像をＣＣＤ（固体撮像素子）で電気的な信号に変換して半導体記録メディアに記録したり、液晶ディスプレイ等の表示装置に表示できるようにしたものである。
【００１９】
しかしながら、本発明に係る撮影装置としては、このデジタルスチルカメラ１に限定されるものではなく、アナログスチルカメラ、デジタルビデオカメラレコーダ、アナログビデオカメラレコーダその他の撮影装置に適用できるものである。また、情報記録媒体としては、半導体記録媒体に限定されるものではなく、テープ状記録媒体を用いたデジタルビデオカセット、アナログビデオカセットその他のテープカセットを用いることができることは勿論のこと、ＤＶＤ（デジタルバーサタイルディスク）やＣＤ−ＲＯＭその他の記録可能な光ディスク、光磁気ディスク、磁気ディスク等のディスク状記録媒体を適用することもできる
【００２０】
図１〜図２に示すように、デジタルスチルカメラ１は、中空の筐体からなるカメラ本体２と、このカメラ本体２の左上部に配設されたレンズ装置３と、このレンズ装置３の近傍で横並びに配設されたフラッシュ装置４と、レンズ装置３の撮影レンズ５から入力される光に基づいて被写体の映像信号を形成する撮像手段と、この撮像手段で形成された映像信号又は予め情報記録媒体（撮像手段の記憶装置或いは半導体記録媒体）に記録されている情報に基づいて映像を表示する表示装置６と、撮影レンズ５を開閉すると共に電源スイッチを兼ねるレンズカバー７等から構成されている。
【００２１】
ここで、本発明における「映像」と「画像」について定義すると、次の通りである。即ち、本発明では、表示装置６の表示面に表された１コマ毎の像を「画像」といい、その画像の任意数の集合を「映像」というものとする。
【００２２】
図１に示すように、カメラ本体２の前面左上部に配置された撮影レンズ５とフラッシュ装置４の発光部とセルフタイマランプ８は、上下方向へ移動可能とされたレンズカバー７によって開閉可能とされている。レンズカバー７は、カメラ本体２に対して上下方向へ摺動可能に支持されており、図１０において実線で示す下側に位置するレンズ開放位置と、二点鎖線で示す上側に位置するレンズ閉鎖位置とを選択的に取ることができる。このレンズカバー７は電源スイッチを兼用しており、その電源スイッチはレンズ開放位置ではオンとなり、レンズ閉鎖位置ではオフとなる。
【００２３】
かくして、図１０に示すように、レンズカバー７がレンズ開放位置にあるときには、撮影レンズ５とフラッシュ装置４の発光部は共に開かれていて、電源スイッチがオンとなるため、撮影操作が可能となる。これに対して、レンズカバー７を上方にスライドさせてレンズ閉鎖位置に移動すると、撮影レンズ５と発光部が共に閉じられ、電源スイッチもオフとなって、撮影操作が不能となる。
【００２４】
カメラ本体２の上面には、電源スイッチの機能を有する電源ボタン１０と、撮影用のシャッタボタン１１と、マイクロホン１２が設けられている。また、図２に示すように、カメラ本体２の背面には、表示装置の一具体例を示す液晶ディスプレイ６と、ズーム操作を行うことができるズームボタン１４と、内蔵スピーカ１５と、コントロールボタン１６と、メニューボタン１７と、画面表示ボタン（ＬＣＤバックライトＯＮ／ＯＦＦ）１８と、４つの選択ボタン１９と、画像サイズ／削除ボタン２０等が設けられている。
【００２５】
液晶ディスプレイ６は、カメラ本体２の背面において、その中央部から左側部にかけて大きく占有するよう大型に形成されている。この液晶ディスプレイ６の右側上部にズームボタン１４が配置され、その下側に内蔵スピーカ１５が配置され、その下部にコントロールボタン１６その他の操作ボタンが配置されている。ズームボタン１４は、撮影時は勿論のこと、再生時においてもズーム操作を行うことができるようになっている。
【００２６】
４つの選択ボタン１９は、コントロールボタン１６を挟んで上下及び左右に配置されている。これら４つの選択ボタン１９としては、例えば、再生ボタン、停止ボタン、早送りボタン、戻しボタン等を挙げることができるが、これらの操作ボタン類に限定されるものではない。なお、カメラ本体２の内蔵スピーカ１５の上面には複数の透孔が設けられており、その透孔から外部に音が放射されるようになっている。
【００２７】
また、カメラ本体２の右側面の上部には、モードスイッチ２２が上下方向へスライド動作可能に取り付けられている。モードスイッチ２２は、デジタルスチルカメラ１の機能を切り替えるためのもので、その機能モードとしては、例えば、動画撮影モード、静止画撮影モード、画像再生／編集モード等を挙げることができる。このモードスイッチ２２の下側には、ストラップ取付部２３が設けられている。このストラップ取付部２３には、図示しないが、手首に引っ掛けて保持するためのリストストラップが取り付けられる。
【００２８】
レンズ装置３は、図１０に示すような構成を備えている。即ち、レンズ装置３は、レンズ鏡筒３０と、このレンズ鏡筒３０に固定又は移動可能に保持された５組のレンズ群３１，３２，３３，３４及び３５と、撮像手段の一具体例を示すＣＣＤ（固体撮像素子）３６とを備えて構成されている。レンズ鏡筒３０は、内部に光の通る光通路３７が設けられた筒状の部材からなり、その光通路３７の上部には正面に開口する被写体側の開口部３８が設けられている。そして、光通路３７の開口部３８と反対側の下部にはＣＣＤ３６が配置されている。
【００２９】
レンズ鏡筒３０の光通路３７の開口部３８には第１固定レンズ群３１が配置され、光通路３７の中途部には第２固定レンズ群３３が配置され、光通路３７の他端部には第３固定レンズ群３５が配置されていて、この第３固定レンズ群３５の後方にＣＣＤ３６が配置されている。そして、第１固定レンズ群３１と第２固定レンズ群３３との間に第１可動レンズ群３２が配置され、第２固定レンズ群３３と第３固定レンズ群３５との間に第２可動レンズ群３４が配置されている。５組のレンズ群３１〜３５は、互いの光軸が１つの光軸上に一致するよう同軸上に設定されていて、その光軸ＣＬ上の後方に撮像面の略中央部が位置するようにＣＣＤ３６が取り付けられている。
【００３０】
第１固定レンズ群３１は、被写体に対向される撮影レンズ５と、この撮影レンズ５に対向される三角プリズム４１と、この三角プリズム４１の他面に対向されるレンズ４２との組み合わせによって構成されている。２つのレンズ５，４２は、三角プリズム４１の９０度交差する面にそれぞれ対向されており、被写体からの光が撮影レンズ５から入射され、三角プリズム４１の反射面で９０度方向変換されて、レンズ４２から下方へ導かれるようになっている。
【００３１】
第２固定レンズ群３３は１枚のレンズ４３からなり、第３固定レンズ群３５は２枚のレンズ４４，４５の組み合わせによって構成されている。また、第１可動レンズ群３２は３枚のレンズ４７，４８，４９の組み合わせによって構成され、第２可動レンズ群３４は２枚のレンズ５１，５２の組み合わせによって構成されている。
【００３２】
第１可動レンズ群３２は、図示しないレンズ移動機構により光軸ＣＬに沿って進退移動可能に構成されており、これによりズームレンズが構成されている。第１可動レンズ群３２が被写体側である第１固定レンズ群３１に近づく方向へ移動すると望遠となり、その逆に第２固定レンズ群３３に近づく方向へ移動すると広角となる。第２可動レンズ群３４は、図示しないレンズ移動機構により光軸ＣＬに沿って進退移動可能に構成されており、これによりフォーカスレンズが構成されている。
【００３３】
ＣＣＤ３６は、上述したような構成を有するレンズ装置３から入力された光を電気的な信号に変換して出力するものである。このＣＣＤ３６から出力された情報は、液晶ディスプレイ６によって画面に表示され、或いは半導体記録媒体等の記憶装置に記録される。
【００３４】
第１固定レンズ群３１の撮影レンズ５は、図１１及び図１２に示すような状態でレンズ鏡筒３０に保持されて取り付けられている。レンズ鏡筒３０の開口部３８の周縁には、撮影レンズ５の外周縁を保持する座部５１が設けられている。レンズ鏡筒３０の開口部３８の背面側は４５°に傾斜された斜面部３０ａとされており、その斜面部３０ａの内面に斜面部を対向させて三角プリズム４１が収納されている。
【００３５】
撮影レンズ５は、被写体側の光学有効面である第１の面５ａは凸面とされ、結像側の光学有効面である第２の面５ｂは凹面とされている。第２の面５ｂの曲率半径は第１の面５ａの曲率半径よりも小さく設定されている。これにより、撮影レンズ５の第２の面５ｂの外周縁には光軸ＣＬと垂直をなす端面５ｃが形成されており、この端面５ｃがレンズ鏡筒３０の座部５１の座面に接触されている。
【００３６】
座部５１に収納された撮影レンズ５の外周縁は、レンズ鏡筒３０の開口部３８の端面に固定される外装カバー５２によって縁取りするように覆われている。外装カバー５２は、図３及び図８等に示すような形状とされている。即ち、外装カバー５２は、撮影レンズ５の外周縁を覆う縁取り部５２ａと、この縁取り部５２ａの外周縁に連続して外側に展開された固定面部５２ｂとからなる。固定面部５２ｂは長方形の板体からなり、その固定面部５２ｂの一面から膨出するように円形の縁取り部５２ａが設けられている。縁取り部５２ａには、横長に形成された略四角形をなす開口窓５４が設けられており、この開口窓５４から撮影レンズ５の中央部が露出される。
【００３７】
外装カバー５２の縁取り部５２ａの内面の上下には、図１１に示すように、適当な深さを有する円弧状の凹部からなる肉抜き部５５，５５が設けられている。これらの肉抜き部５５，５５は、後述するシール部材の一具体例を示す防塵リング６０の反力が部分的に大きくなるのを防止し、全周に渡って略均一な反力が発生するようにするために設けたものである。この反力の均一化については、後の組立作業等の説明において詳細に説明する。
【００３８】
更に、外装カバー５２の固定面部５２ｂには、レンズ鏡筒３０の所定位置に外装カバー５２を位置決めするための２つに位置決め孔５６ａ，５６ｂが設けられている。これに対応して、レンズ鏡筒３０の外装カバー５２が取り付けられる面には、２つの位置決めピン５７ａ，５７ｂが設けられている。この２つの位置決めピン５７ａ，５７ｂに２つの位置決め孔５６ａ，５６ｂを嵌合させることにより、レンズ鏡筒３０に対して外装カバー５２が自動的に所定位置に位置決めされて取り付けられる。
【００３９】
図９は、本発明の撮影装置に係る外装カバーの第２の実施例を示すものである。この外装カバー５３が前記外装カバー５２と異なるところは、肉抜き部５８の形状のみであって、他の部分は同一である。よって、外装カバー５３については、肉抜き部５８についてのみ説明し、同一部分には同一の符号を付して、それらの説明を省略する。肉抜き部５８は、断面四角形の凹部が周方向に連続するリング状の溝からなっている。この肉抜き部５８の直径は、防塵リング６０の直径よりも少し小さめに形成する。
【００４０】
このように肉抜き部５８をリング状に形成してその直径を防塵リングよりも小さめに形成する場合には、防塵リング６０が肉抜き部５８に弛んだ状態で装着されるため、組立時における防塵リングの反力を緩和することができる。この実施例は、特に、小型の撮影装置に用いる場合において、防塵リングを複雑に作ることができない場合に適用して有効である。
【００４１】
シール部材の第１の実施例を示す防塵リング６０は、図５Ａ〜Ｃに示すような形状を有している。防塵リング６０は、全体の平面形状は円形であるが、その断面形状は略矩形とされている。これにより、防塵リング６０の両側の端面６０ａ，６０ｂは共に平面とされている。更に、防塵リング６０の外周面６０ｃ及び内周面６０ｄは共に曲面とされている。そして、防塵リング６０の断面の４つの角部は、それぞれ適当な大きさの円弧によってアール状に面取りされている。このような防塵リング６０の材質としては、例えば、シリコンゴムが好適ではあるが、この種のシール部材に使用される各種の材料を用いることができることは勿論である。
【００４２】
シール部材の第２の実施例を示す防塵リング６１は、図６Ａ〜Ｃに示すような形状を有している。即ち、防塵リング６１は、略楕円形をなしており、互いに平行する２つの平行辺６５ａ，６５ａが周方向の一部に設けられている。なお、本発明における楕円形とは、「数学的な意味における楕円形（一平面上の２定点からの距離の和が一定である点の軌跡）の他、いわゆる小判形（平行な２辺の両端を円弧で接続した形）をも楕円形に含むものとする。この防塵リング６１の断面形状は矩形とされていて、内周縁の一方は、第１の端面６１ａと内周面６１ｄとが直角に交わる角部６６として形成されている。この防塵リング６１は、外装カバー５２の開口窓５４の形状に対応する形状として形成したものである。
【００４３】
シール部材の第３の実施例を示す防塵リング６２は、図７Ａ〜Ｃに示すような形状を有している。即ち、防塵リング６２は、全体の平面形状は円形であるが、その断面形状は四角形とされている。これにより、防塵リング６２の両側の端面６２ａ，６２ｂは共に平面とされている。そして、防塵リング６２の外周面６２ｃ及び内周面６２ｄは共に曲面とされている。
【００４４】
この防塵リング６２の第２の端面には、外装カバー５２（若しくは５３）又はレンズ鏡筒３０に貼着するための接着剤層６７が設けられている。この接着剤層６７の表面には、剥離が容易な保護フィルム６８が貼着されている。保護フィルム６８を剥離して接着剤層６７を露出させることにより、その接着剤層６７を用いて防塵リング６２を直接外装カバー５２等に貼り付けることができる。このような防塵リング６２としては、例えば、三菱樹脂株式会社製のシリコーンゴムフィルム（商標「珪樹」）を適用することができる。
【００４５】
このような防塵リング６０〜６２を利用して撮影レンズ５を押えるために、外装カバー５２をレンズ鏡筒３０に装着する。この外装カバー５２（５３）等の組立作業は、例えば、次のようにして行うことができる。まず、レンズ鏡筒３０の被写体側の開口部３８に設けた座部５１に撮影レンズ５を装着する。このとき、レンズ鏡筒３０上で撮影レンズ５の調芯を行い、その撮影レンズ５を接着剤等で固定する。
【００４６】
次に、外装カバー５２の縁取り部５２ａの凹部内に防塵リング６０〜６２を挿着する。この場合、防塵リングが図７に示す接着剤層６７を有する第３実施例の防塵リング６２であるときには、その接着剤層６７を利用して防塵リング６２を、凹部内の所定位置に位置決めして取り付けることができる。そのため、組立時において、防塵リング６２が移動して位置ズレを生ずるおそれを無くすことができる。
【００４７】
次に、図１１に示すように、防塵リング６０〜６２が挿着された外装カバー５２をレンズ鏡筒３０に装着する。これにより、撮影レンズ５の外周縁が、防塵リング６０〜６２を介して外装カバー５２により押圧され、そのレンズ取付部をしっかりと確実に防塵することができる。
【００４８】
この場合、撮影レンズ５の被写体側の面である第１の面５ａが凸面となっている一方、外装カバー５２の縁取り部５２ａに開口された開口窓５４が横長の長方形とされている。そのため、縁取り部５２ａの内面に肉抜き部５５，５５を設けないとすると、縁取り部５２ａの内面と撮影レンズ５の第１の面５ａとの間の隙間が異なり、その半径方向内側よりも外側が広くなる。この状態が、図８に示す外装カバー５２の切断位置に対応した状態を現す、図１１と図１２に現されている。
【００４９】
図１１は、外装カバー５２について図８においてＸ−Ｘ線部分で断面した図であり、図１２は、同じく図８においてＹ−Ｙ線部分で断面した図である。図１２から明らかなように、Ｙ−Ｙ線部分では、防塵リング６０には撮影レンズ５の外周縁が接触してわずかに押し潰している程度である。これに対して、図１１から明らかなように、Ｘ−Ｘ線部分では、防塵リング６０には撮影レンズ５の外周縁より内側部分が接触しており、肉抜き部５５が無いと仮定すると、防塵リング６０は２／３程度に圧縮された状態となることが予想される。
【００５０】
ところが、本実施例では、前記防塵リング６０の圧縮量に対応した深さを有する肉抜き部５５を設けているため、防塵リング６０の圧縮量をＹ−Ｙ線部分におけると略同様の圧縮量に設定することができる。そのため、防塵リング６０が圧縮されることによって生ずる反力を、その周方向の全体において略均等に設定することができる。これにより、防塵リング６０の潰し量（圧縮量）をわずかにして撮影レンズ５に掛かる負荷を軽減しつつ、確実に防塵効果を得ることができる。このような効果は、図５に示す円形の防塵リング６０によって得られることは勿論であるが、図６に示す楕円形の防塵リング６１の場合には、それぞれの圧縮位置が半径方向において大きく相違するため、顕著な効果として得ることができる。
【００５１】
また、図９に示す外装カバー５３の場合には、縁取り部５２ａの凹部に、防塵リングよりも少し小さめの環状溝からなる肉抜き部５８を設けることにより、防塵リングが圧縮されることによって発生する反力を緩和し、撮影レンズ５に負荷を掛けることなく防塵することができる。この実施例は、特に、小型の撮影装置に本発明を適用する際に、防塵リングを複雑に作ることができないような場合に有効である。
【産業上の利用可能性】
【００５２】
本発明は、前述しかつ図面に示した実施の形態に限定されるものではなく、その要旨を逸脱しない範囲内で種々の変形実施が可能である。例えば、前記実施例においては、撮影装置としてデジタルスチルカメラを適用した例について説明したが、その他のスチルカメラは勿論のこと、デジタルビデオカメラ、アナログビデオカメラ、カメラ一体型ビデオテープレコーダ、カメラ付き携帯電話、カメラ付きＰＨＳその他の撮影装置に適用できるものである。
【図面の簡単な説明】
【００５３】
【図１】本発明の撮影装置の一実施例を示すもので、正面側から見た外観斜視図である。
【図２】本発明の撮影装置の一実施例を示すもので、背面側から見た外観斜視図である。
【図３】本発明の撮影装置に係るレンズ鏡筒とシール部材と外装カバーを示す分解斜視図である。
【図４】本発明の撮影装置に係るレンズ鏡筒に外装カバーを組み立てた状態を示す斜視図である。
【図５】本発明の撮影装置に係るシール部材の第１の実施例を示すもので、同図Ａは平面図、同図Ｂは中央部断面図、同図Ｃは同図Ｂの要部を拡大した断面図である。
【図６】本発明の撮影装置に係るシール部材の第２の実施例を示すもので、同図Ａは平面図、同図Ｂは中央部断面図、同図Ｃは同図Ｂの要部を拡大した断面図である。
【図７】本発明の撮影装置に係るシール部材の第３の実施例を示すもので、同図Ａは平面図、同図Ｂは中央部断面図、同図Ｃは同図Ｂの要部を拡大した断面図である。
【図８】本発明の撮影装置に係る外装カバーの第１の実施例を背面側から見た斜視図である。
【図９】本発明の撮影装置に係る外装カバーの第２の実施例を背面側から見た斜視図である。
【図１０】本発明の撮影装置に係るレンズ装置を縦方向に断面して示す説明図である。
【図１１】図１０の要部を拡大して示す説明図である。
【図１２】図１０とは異なる部分を断面して示す説明図である。
【符号の説明】
【００５４】
１…デジタルスチルカメラ（撮影装置）、  ３…レンズ装置、  ５…撮影レンズ、  ５ａ…第１の面、  ３０…レンズ鏡筒、  ３８…開口部、  ５２，５３…外装カバー、  ５２ａ…縁取り部、  ５２ｂ…固定面部、  ５４…開口窓、  ５５，５８…肉抜き部、  ６０，６１，６２…防塵リング（シール部材）、  ６６…角部、  ６７…接着剤層
【図１】
2006030665.tif 000003
【図２】
2006030665.tif 000004
【図３】
2006030665.tif 000005
【図４】
2006030665.tif 000006
【図５】
2006030665.tif 000007
【図６】
2006030665.tif 000008
【図７】
2006030665.tif 000009
【図８】
2006030665.tif 000010
【図９】
2006030665.tif 000011
【図１０】
2006030665.tif 000012
【図１１】
2006030665.tif 000013
【図１２】
2006030665.tif 000014